(57)【特許請求の範囲】
【請求項１】
ダクトに接続されてなると共に一方が長尺な吹き出し口を有するケース体と、該ケース体の吹き出し口内部の壁に一端部が回動自在に軸支され且つ操作手段により風向きが調整される風向調整羽根とを少なくとも備えてなり、
前記ケース体の吹き出し口の略中央部には、前記風向調整羽根の他端部をそれぞれ回転自在に支持してなる支持部が前記壁と略平行に設置されてなり、
前記操作手段は、前記風向調整羽根の他端部に形成され、前記支持部を挟んで隣り合う風向き調整羽根と連結するリンク部材を有することを特徴とする風向調整装置。
【請求項２】
請求項１に記載の風向調整装置であって、
前記リンク部材の風上側は、風上へ向かう楔状に形成されてなることを特徴とする風向調整装置。
【請求項３】
請求項１又は請求項２に記載の風向調整装置であって、
前記操作手段は、前記支持部を跨ぐと共に前記風向調整羽根を支持してなることを特徴とする風向調整装置。
【請求項４】
請求項１乃至請求項３の何れか１項に記載の風向調整装置であって、
前記リンク部材の端部は、前記ケース体の上下何れかの内壁に当接することで、風向調整羽根の傾きを停止可能なるように構成したことを特徴とする風向調整装置。
【請求項５】
請求項１乃至請求項４の何れか１項に記載の風向調整装置であって、
前記リンク部材と該リンク部材を支持した軸との摺動抵抗よりも、軸とケース体との摺動抵抗が小さいように構成したことを特徴とする風向調整装置。
【発明の詳細な説明】
【０００１】
【発明の属する技術分野】
本発明は、空気の吹き出し方向を制御可能なると共に吹き出しを可能なるようにしたり、吹き出しを停止させたり制御することを可能なる風向調整装置に関する。
【０００２】
【従来の技術】
従来の風向調整装置としては、例えば、特開平８ー２６８０５２号公報或いは実開昭５８−１７９２１４号公報に記載されたものがある。これらの構造は、風向調整装置に関し、風向調整羽根を連動させるリンクが、ケースの側壁の片方に設けられており、操作部とリンクとは離間している。しかも、上下幅と左右幅とがほぼ同一である。
【０００３】
【発明が解決しようとする課題】
しかしながら、かかる風向調整装置にあっては、操作部とリンクとが離間しているので、羽根自体に捻れが発生するおそれがある。しかも、計器板への積載装置が増大する傾向がある昨今においては、風向調整装置の上下寸法が薄くなる傾向があり、吹き出し量を確保するためには、ケースの左右寸法を長くして開口面積を確保する必要がある。つまり、前記従来例による風向調整装置のような操作部とリンクとが離間した構造では、ますます羽根の捻れが生じやすいことになり、改善が求められている。
【０００４】
本発明は、このような従来の問題点を考慮してなされたものであり、左右幅寸法が大きな風向調整装置であっても、捻れの生じない風向調整羽根を有する風向調整装置を提供することを目的とする。
【０００５】
【課題を解決するための手段】
上記目的を達成するため、請求項１の発明は、ダクトに接続されてなると共に一方が長尺な吹き出し口を有するケース体と、該ケース体の吹き出し口内部の壁に一端部が回動自在に軸支され且つ操作手段により風向きが調整される風向調整羽根とを少なくとも備えてなり、前記ケース体の吹き出し口の略中央部には、前記風向調整羽根の他端部をそれぞれ回転自在に支持してなる支持部が前記壁と略平行に設置されてなり、前記操作手段は、前記風向調整羽根の他端部に形成され、前記支持部を挟んで隣り合う風向き調整羽根と連結するリンク部材を有する。
【０００６】
請求項１の発明によれば、前記支持部により、ケース体の吹き出し口の略中央部が保持されるので、ケース体の吹き出し口の一方が長尺でもケース体自体の剛性が確保される。また、リンク部材が該支持部に連結されていて、風向調整羽根の中央側の端部にあって回転作動させるので、羽根に作用する応力を分散させて、羽根の捻れが防止できることになる。羽根の剛性が向上することにより、操作感が向上することになる。
【０００７】
請求項２の発明は、請求項１に記載の風向調整装置であって、前記リンク部材の風上側は、風上へ向かう楔状に形成されてなる。
【０００８】
請求項２の発明によれば、前記リンク部材の風上側が楔状であるので、空気抵抗が低減でき、風向制御特性が向上することになる。また、前記操作手段を操作して羽根を中立位置にすると、リンク部材が風の流れを両側に逃がすことにより、通気抵抗を低減できる。
【０００９】
請求項３の発明は、請求項１又は請求項２に記載の風向調整装置であって、前記操作手段は、前記支持部を跨ぐと共に前記風向調整羽根を支持してなる。
【００１０】
請求項３の発明によれば、前記操作手段が、前記支持部を跨ぐと共に前記風向調整羽根を支持してなるので、前記風向調整羽根の捻れが更に防止され、操作感が更に向上する。
【００１１】
請求項４の発明は、請求項１乃至請求項３の何れか１項に記載の風向調整装置であって、前記リンク部材の端部は、前記ケース体の上下何れかの内壁に当接することで、風向調整羽根の傾きを停止可能なるように構成した。
【００１２】
請求項４の発明によれば、前記操作手段による操作荷重が、前記リンク部材の全てで受けることになり、風向調整羽根の傾きを停止させるストッパの剛性が向上する。
【００１３】
請求項５の発明は、請求項１乃至請求項４の何れか１項に記載の風向調整装置であって、前記リンク部材と該リンク部材を支持した軸との摺動抵抗よりも、軸とケース体との摺動抵抗が小さいように構成した。
【００１４】
請求項５の発明によれば、操作手段による風向調整羽根の操作で、十分な操作感を発生させつつも、ねじれがより出にくいことになる。
【００１５】
【発明の実施の形態】
図１乃至図６は、本発明の風向調整装置の一実施形態を示す図面である。
【００１６】
符号１は、風向調整装置で、該風向調整装置１は、ケース体２と、「風向調整羽根」である縦ルーバー３と、該縦ルーバー３より風下側に配され且つ「一端部」である第１回転軸４ａがケース体２にスペーサ１８を介して回転自在に軸支されてなる「風向調整羽根」である横ルーバー４と、縦ルーバー３を操作可能なる「操作手段」の一方である左右方向制御手段５と、横ルーバー４を操作可能なる「操作手段」の他方である上下方向制御手段６とより少なくとも構成されてなる。
【００１７】
前記ケース体２は、ケース本体１０と化粧部材１１とよりなり、両者１０，１１とも中空状の合成樹脂製で、内壁の縦寸法が３５ミリメートル、同横寸法が１７５ミリメートルの上下に薄く左右に長尺な寸法関係にある。前記ケース本体１０の風下側、即ち空気の吹き出し側の端部１０ａに、前記化粧部材１１の風上側の端部１１ａが固設されてなる。
【００１８】
前記ケース本体１０は、自動車のインストルメントパネルに装着されてなる空気温度制御装置（図示省略）の吹き出し部であるダクト７に、環状のシール材８を介在して接続されてなる。該ケース本体１０の吹き出し口１０ｃの略中央部には、前記横ルーバー４の「他端部」である第２回転軸４ｂをそれぞれ回転自在に支持してなる後述する軸受け部１２ａからの抜けを防止する柱状の支持受け部１０ｄが上下に架橋されてなる。
【００１９】
前記化粧部材１１は、前記端部１１ａから上下左右に張り出して形成されてなり、自動車のインストルメントパネルの化粧板（図示省略）と面一な位置に配されているもので、前記ケース本体１０の風下側の端部１０ａに固設されていて、該化粧部材１１の吹き出し口１１ｂの略中央部には、前記横ルーバー４の前記第２回転軸４ｂをそれぞれ回転自在に支持してなる溝状の軸受け部１２ａを有する支持部１２が上下に架橋されてなる。
【００２０】
前記複数の横ルーバー４の第２回転軸４ｂに形成した連結部４ｃには、前記支持部１２を跨ぐように、風上側の横断面が風を案内可能なると共に、図３に示す楔状に形成してなるリンク部材１３を連結してなる。
【００２１】
前記縦ルーバー３は、該ケース体２のケース本体１０の風上側、即ち、ダクト２側に回転軸３ｃにより左右に回転自在に軸支されてなり、真ん中の２枚のルーバー本体３ａが前後寸法が短く、他の８枚のルーバー本体３ｂが長い形状である。該ルーバー本体３ａ、３ｂは、連結リンク１４により連結されている。
【００２２】
前記横ルーバー４は、該ケース体２のケース本体１０の風下側、即ち、化粧部材１１の吹き出し口１１ｂ側に第１，第２回転軸４ａ、４ｂにより上下に回転自在に軸支されてなり、真ん中の１枚のルーバー本体４ｄの他端部側、つまり化粧部材１１の中央側に係合孔４ｆが形成されてなり、他の２枚のルーバー本体４ｅには、該係合孔４ｆは形成されていない。該ルーバー本体４ｄ，４ｅは、リンク部材１３により連結されている。
【００２３】
前記左右方向制御手段５は、前記ケース本体１０の下側の面に形成されたボス１０ｂにビス１６により回転自在に軸支されてなるダイヤル１５と、該ダイヤル１５に連結されてなると共に前記回転軸３ｃに連結されてなる作動リンク１７とよりなる。前記ダイヤル１５は、前記化粧部材１１に形成された開口１１ｃから一部が露出している。
【００２４】
前記上下方向制御手段６は、前記支持部１２を風下側から跨ぐように真ん中に溝部６ａが形成されてなると共に前記横ルーバー４に形成された前記係合孔４ｆに爪６ｂが係合支持されている。
【００２５】
かかる構成よりなる風向調整装置１は、次に順序で組み立てられる。即ち、化粧部材１１には、横ルーバー４をスペーサー１８と支持部１２の軸受け部１２ａでもって組み立て、それに上下方向制御手段６の爪６ｂをルーバー４の係合孔４ｆに組み立る。ケース本体１０には、縦ルーバー３と連結リンク１４とで組み立てる。こうしたそれぞれ予め組み立てられた化粧部材１１とケース本体１０とを組立後、リンク部材１３を組み立てることで、完成する。
【００２６】
この実施形態では、かかる構成よりなるので、前記支持部１２により、ケース体２のケース本体１０の吹き出し口１０ｃの略中央部が保持されるので、ケース体２が左右に長尺でもケース体２自体の剛性が確保される。また、リンク部材１３が該支持部１２に連結されていて、横ルーバー４の中央側の第２回転軸４ｂにあって回転作動させるので、横ルーバー４に作用する応力を分散させて、横ルーバー４の捻れが防止できることになる。横ルーバー４の剛性が向上することにより、上下方向制御手段６を操作させた時の操作感が向上することになる。
【００２７】
また、左右方向制御手段５のダイヤル１５を操作して、縦ルーバー３を左右何れかに傾けさせると、リンク部材１３が楔状であるので、縦ルーバー３の操作角と整合することになり、図５に二点鎖線で示す風Ａの流れのように、リンク部材１３が縦ルーバー３の操作角と整合するので、空気抵抗が低減でき、風向制御特性が向上することになる。また、前記ダイヤル１５を操作して縦ルーバー３を中立位置にすると、図５に実線で示す風Ａの流れのように、リンク部材１３が風Ａの流れを両側に逃がすことにより、通気抵抗を低減できる。
【００２８】
また、前記上下方向制御手段６が、前記支持部１２を溝部６ａで跨ぐと共に前記横ルーバー４のルーバー本体４ｄの係合孔４ｆに爪６ｂで支持してなるので、前記横ルーバー４の捻れが更に防止され、操作感が更に向上する。
【００２９】
また、前記上下方向制御手段６による操作荷重が、前記リンク部材１３の全てで受けることになり、図４に示すように、実線で示す位置から二点鎖線で示す位置にリンク部材１３が移動して、ケース体２のケース本体１０の上下何れかの壁に当接した段階で横ルーバー４の傾きを停止させることになり、リンク部材１３は、ストッパ機能を有し、横断面楔形のリンク部材１３で受けるので、ストッパの剛性が向上することになる。
【００３０】
また、前記リンク部材１３と該リンク部材１３を支持した軸４ｃとの摺動抵抗よりも、軸４ａとケース体２との摺動抵抗が小さいように構成してなるので、左右方向制御手段５及び上下方向制御手段６による縦ルーバー３及び横ルーバー４の操作で、十分な操作感を発生させつつも、ねじれがより出にくいことになる。
【００３１】
図７は、本発明の他の実施形態で、前記横ルーバー４の左右のルーバー本体４ｄ，４ｅが、「他端部」である第２回転軸４ｂで一体に形成されている例を示してきたが、図７に示す例では、分割された第２回転軸４ｇであり、左右のルーバー本体４ｄ，４ｅが共に別部材よりなるものであり、かかる構成にしても、本願発明の前記した効果を有する。そして、図７に示すように、軸受け部１２ｂが、支持受け部１０ｅに形成されてなるものである。
【００３２】
前記実施形態では、支持部１２と支持受け部１０ｄとを前後に配して、横ルーバー４の第２回転軸４ｂを保持する例で説明したが、これに限るものではなく、支持部１２のみ、或いは支持受け部１０ｄのみであっても良い。
【００３３】
また、前記実施形態では、ケース体２の長辺を左右方向にし、短辺を上下方向になるようにして説明したが、これに限らず、例えば、ケース体２の長辺を上下方向にし、短辺を左右方向になるようにしても良い。要は、吹き出し口１１ｂの一方が長尺であれば良い。
【図面の簡単な説明】
【図１】本発明の風向調整装置の一実施形態の斜視図。
【図２】図１のＳＡ−ＳＡ線に沿った断面図。
【図３】図２のＳＢ−ＳＢ線に沿った断面図。
【図４】図２の作動説明図。
【図５】図３の作動説明図。
【図６】図１の分解斜視図。
【図７】本発明の風向調整装置の他の実施形態に係る図７相当分解斜視図。
【符号の説明】
１  風向調整装置
２  ケース体
３  「風向調整羽根」である縦ルーバー
４  「風向調整羽根」である横ルーバー
４ａ  横ルーバーの一端部
４ｂ  横ルーバーの他端部
４ｃ  横ルーバーの連結部
４ｄ，４ｅ  ルーバー本体
４ｆ  係合孔
５  「操作手段」である左右方向制御手段
６  「操作手段」である上下方向制御手段
７  ダクト
１０  ケース本体
１０ｃ、１１ｂ  吹き出し口
１１  化粧部材
１２  支持部
１２ａ  軸受け部
１３  リンク部材
【図１】
0003712930.tif 000002
【図２】
0003712930.tif 000003
【図３】
0003712930.tif 000004
【図４】
0003712930.tif 000005
【図５】
0003712930.tif 000006
【図６】
0003712930.tif 000007
【図７】
0003712930.tif 000008